(57)【特許請求の範囲】
【請求項１】
複数の発光素子を備える光源基板と、
前記発光素子から出射された光を像担持体上に集光させる光学系と、
を備える光書込装置において、
前記光学系は、複数の結像レンズを含んで構成されるレンズアレイを備え、
前記複数の発光素子からなる発光素子群の各々は、それぞれ対応する前記結像レンズと正対するように配置され、
前記発光素子群は、前記複数の発光素子が、主走査方向にｍ列、副走査方向にｎ列の二次元状に並べられて配置されるとともに、主走査方向の長さと副走査方向の長さとが略等しくなるように、かつ、副走査方向ピッチをｐｙ、前記像担持体上に形成される光源像の書込みピッチをｐ０、前記結像レンズの倍率をβ、発光素子ピッチをｐ０’としたとき、ｐｙ＝（ｎｍ−１／ｎ−１）＊ｐ０’を満たすように配置され、
ｎ＝ｍ又はｎ＝ｍ−１を満たすことを特徴とする光書込装置。
【請求項２】
前記発光素子群は、各々割り当てられた発光素子数が同数であり、主走査方向の長さと副走査方向の長さの二乗和平方根の１／２の値が最小値となるように前記複数の発光素子が配置されることを特徴とする請求項１に記載の光書込装置。
【請求項３】
前記結像レンズは、主走査方向と比べ副走査方向の長さが短い形状に形成されていることを特徴とする請求項１又は２に記載の光書込装置。
【請求項４】
ｎ及びｍは奇数であることを特徴とする請求項１〜３のいずれか一項に記載の光書込装置。
【請求項５】
前記発光素子は、有機ＥＬであることを特徴とする請求項１〜４のいずれか一項に記載の光書込装置。
【請求項６】
像担持体と、
前記像担持体を帯電させる帯電部と、
前記帯電部により帯電された前記像担持体に対して光を照射することで前記像担持体上に静電潜像を形成する請求項１〜５のいずれか一項に記載の光書込装置と、
前記光を照射された前記像担持体に現像剤を供給することで前記静電潜像を現像剤による像に顕像化する現像部と、
前記現像剤による像を用紙に転写する転写部と、
前記転写部により転写された前記現像剤による像を前記用紙に定着する定着部と、
を備えることを特徴とする画像形成装置。
【発明の詳細な説明】
【技術分野】
【０００１】
本発明は、光書込装置及び当該光書込装置を備える画像形成装置に関する。
【背景技術】
【０００２】
従来、複数の発光素子（例えば、ＬＥＤ（Light Emitting Diode）、ＯＬＥＤ（Organic Light-Emitting Diode））からなる発光素子群を主走査方向及び副走査方向にそれぞれ複数配置した光源基板と、上記発光素子群に対して一対一で結像レンズを対向配置したレンズアレイと、を備える光書込装置が知られている。
発光素子がＬＥＤからなる光書込装置では、発光素子の大きさが像担持体への光源像の書込み密度（書込みピッチ）よりも小さいため、ライン状の最終像に正対して長手方向である主走査方向に複数のＬＥＤを配列することができる。
一方、発光素子として有機ＥＬ（ＯＬＥＤ）を用いる場合、発光素子の寿命と発光量とがトレードオフの関係にある。発光素子の寿命を長く維持しつつ発光量を増やすためには、単位面積当たりの電流値を増やすことなく発光素子の面積を大きくする必要がある。従って、発光素子としてＬＥＤを用いる場合と比べ、発光素子の大きさ（径）が大きくなる。
例えば、主走査方向に隣接する発光素子のピッチが発光素子径よりも小さい場合、発光素子を副走査方向にも配列する二次元（千鳥）配置が公知となっている（例えば、特許文献１参照）。
【先行技術文献】
【特許文献】
【０００３】
【特許文献１】特開２００８−１６８５６２号公報
【発明の概要】
【発明が解決しようとする課題】
【０００４】
しかしながら、光書込装置を画像形成装置内に配置する場合、配置制約上コンパクト化が要求される。従来の光書込装置は、発光素子を二次元状に配列してグループ化し、各発光素子グループに正対するように結像レンズを配置する。特許文献１記載の技術は、主走査方向の発光素子数と副走査方向の発光素子数に開きがあるため、各発光素子グループからなる四角形の形状が略長方形状となり、正方形状の場合と比べ対角線の長さが長くなる。従って、対角線の半分の長さに対応する結像レンズの画角が増大して結像レンズの外形が大きくなるため、結果として画像形成装置が大型化してしまうという問題がある。
そこで、副走査方向の発光素子ピッチを狭くすることで副走査方向の長さを短くするという方法も考えられるが、電気配線等の制約があり、主走査方向の発光素子ピッチと比較して副走査方向の発光素子ピッチをより狭くすることは困難である。従って、副走査方向の発光素子ピッチを狭くする方法では、画像形成装置の大型化を防ぐことは困難である。
【０００５】
本発明は、結像レンズの画角の増大を抑制して画像形成装置の大型化を抑制することが可能な光書込装置及び当該光書込装置を備える画像形成装置を提供することを目的とする。
【課題を解決するための手段】
【０００６】
請求項１に記載の発明は、上記目的を達成するためになされたものであり、
複数の発光素子を備える光源基板と、
前記発光素子から出射された光を像担持体上に集光させる光学系と、
を備える光書込装置において、
前記光学系は、複数の結像レンズを含んで構成されるレンズアレイを備え、
前記複数の発光素子からなる発光素子群の各々は、それぞれ対応する前記結像レンズと正対するように配置され、
前記発光素子群は、前記複数の発光素子が、主走査方向にｍ列、副走査方向にｎ列の二次元状に並べられて配置されるとともに、主走査方向の長さと副走査方向の長さとが略等しくなるように、かつ、副走査方向ピッチをｐｙ、前記像担持体上に形成される光源像の書込みピッチをｐ０、前記結像レンズの倍率をβ、発光素子ピッチをｐ０’としたとき、ｐｙ＝（ｎｍ−１／ｎ−１）＊ｐ０’を満たすように配置され、
ｎ＝ｍ又はｎ＝ｍ−１を満たすことを特徴とする。
【０００９】
請求項２に記載の発明は、請求項１に記載の光書込装置において、
前記発光素子群は、各々割り当てられた発光素子数が同数であり、主走査方向の長さと副走査方向の長さの二乗和平方根の１／２の値が最小値となるように前記複数の発光素子が配置されることを特徴とする。
【００１０】
請求項３に記載の発明は、請求項１又は２に記載の光書込装置において、
前記結像レンズは、主走査方向と比べ副走査方向の長さが短い形状に形成されていることを特徴とする。
【００１１】
請求項４に記載の発明は、請求項１〜３のいずれか一項に記載の光書込装置において、
ｎ及びｍは奇数であることを特徴とする。
【００１２】
請求項５に記載の発明は、請求項１〜４のいずれか一項に記載の光書込装置において、
前記発光素子は、有機ＥＬであることを特徴とする。
【００１３】
請求項６に記載の発明は、
画像形成装置において、
像担持体と、
前記像担持体を帯電させる帯電部と、
前記帯電部により帯電された前記像担持体に対して光を照射することで前記像担持体上に静電潜像を形成する請求項１〜５のいずれか一項に記載の光書込装置と、
前記光を照射された前記像担持体に現像剤を供給することで前記静電潜像を現像剤による像に顕像化する現像部と、
前記現像剤による像を用紙に転写する転写部と、
前記転写部により転写された前記現像剤による像を前記用紙に定着する定着部と、
を備えることを特徴とする。
【発明の効果】
【００１４】
本発明によれば、結像レンズの画角の増大を抑制して画像形成装置の大型化を抑制することができる。
【図面の簡単な説明】
【００１５】
【図１】本実施形態に係る画像形成装置の概略構成を示す図である。
【図２】光プリントヘッドの構成を示す側面図である。
【図３】光源基板の構成を示す平面図である。
【図４】光学系の構成を示す平面図である。
【図５】発光素子群の配置例を示す平面図である。
【図６】式１を適用した実施例を示す図である。
【図７】図６の実施例に対する比較例を示す図である。
【図８】発光素子群の配置と結像レンズの画角との関係を示す平面図である。
【図９】発光素子群の配置と結像レンズの画角との関係を示す平面図である。
【図１０】小判型形状に形成された結像レンズの一例を示す平面図である。
【図１１】複数の発光素子を主走査方向及び副走査方向とも奇数個ずつ配置した一例を示す平面図である。
【発明を実施するための形態】
【００１６】
以下、本発明の実施の形態について、図面を参照して詳細に説明する。
【００１７】
本実施形態に係る画像形成装置１０００は、例えば、プリンターやデジタル複写機等として用いられ、図１に示すように、シアン、マゼンタ、イエロー、ブラックの色毎に設けられた複数の光プリントヘッド（光書込装置）１００と、光プリントヘッド１００に対応して設けられた感光体ドラム等の像担持体２００と、像担持体２００を帯電させる帯電部２１０と、光を照射された像担持体２００に現像剤を供給することで静電潜像を現像剤による像に顕像化する現像部２２０と、中間転写ベルト３００と、現像剤による像を用紙Ｐに転写する転写ローラー（転写部）４００と、転写ローラー４００により転写された現像剤による像を用紙Ｐに定着する定着部５００と、等を備えて構成される。
【００１８】
画像形成装置１０００は、光プリントヘッド１００より照射される光によって像担持体２００に静電潜像を形成させる。次に、画像形成装置１０００は、静電潜像が形成された像担持体２００に現像剤を供給することで当該静電潜像を現像剤による像に顕像化し、中間転写ベルト３００上に当該現像剤による像を転写させる。次に、画像形成装置１０００は、中間転写ベルト３００に転写された現像剤による像を転写ローラー４００によって用紙Ｐに押圧して転写させる。次に、画像形成装置１０００は、定着部５００によって用紙Ｐを加熱及び加圧することで、現像剤による像を用紙Ｐ上に定着する。そして、画像形成装置１０００は、用紙Ｐを排紙ローラー（図示省略）等により搬送してトレイ（図示省略）に排紙することで画像形成処理を行う。なお、ここでは、中間転写ベルト３００に転写された像を用紙Ｐに転写するようにしているが、像担持体２００から直接、像担持体２００に形成された像を用紙Ｐに転写するようにしてもよい。
【００１９】
光プリントヘッド１００は、図１〜図４に示すように、帯電部２１０により帯電された像担持体２００に対して光Ｌを照射することで像担持体２００上に静電潜像を形成する装置である。光プリントヘッド１００は、光Ｌを出射させる複数の発光素子（光源）１１１からなる発光素子群１１２を複数配置した光源基板１１と、複数の発光素子１１１から出射された光Ｌを像担持体２００上に集光させる光学系１２と、を備えて構成されている。
【００２０】
以下の説明では、図２〜図４等に示す光源基板１１及び光学系１２の長手方向（主走査方向）をＸ方向、短手方向（副走査方向）をＹ方向、Ｘ方向及びＹ方向に直交する方向をＺ方向とする。また、図２〜図４等に示す光プリントヘッド１００において、光学系１２が配置される側を上側、光源基板１１が配置される側を下側とする。本実施形態では、光プリントヘッド１００の光源基板１１から、Ｚ方向上方に向けて光Ｌが出射されるようになっている。即ち、Ｚ方向は、光Ｌの光軸方向と一致する。
【００２１】
光源基板１１は、図３に示すように、略矩形状に形成され、複数の発光素子群１１２が長手方向（Ｘ方向）に沿って略直線上に複数列（ここでは３列）並べられて配置されている。複数の発光素子群１１２は、光源基板１１の短手方向（Ｙ方向）で重ならないように、Ｘ方向に少しずつずらして配列される。なお、本実施形態では、複数の発光素子群１１２をＹ方向に沿って複数列並べるようにしているが、これに限定されるものではなく、例えば、複数の発光素子群１１２を１列並べるように構成してもよい。また、本実施形態では、発光素子１１１として、有機ＥＬ（ＯＬＥＤ）が用いられており、光源基板１１は、線膨張係数の小さいガラス（例えば、無アルカリガラス）により形成されている。
【００２２】
光学系１２は、図２〜図４に示すように、光源基板１１と像担持体２００の間に配置され、複数の結像レンズ１２１が光源基板１１上の複数の発光素子群１１２と対向する位置、即ち、光軸方向（Ｚ方向）で重なり合う位置に並べられて配置されて、レンズアレイ１２２を構成している（図３及び図４参照）。なお、図３に示す符号１１３は、円形状に形成された複数の結像レンズ１２１を光源基板１１上に射影した際の輪郭に相当する「射影部」を示しており、発光素子群１１２の各々は、対応する射影部１１３内に含まれている。従って、図３を参照すれば、複数の結像レンズ１２１が、複数の発光素子群１１２と対向する位置に並べられて配置されていることがわかる。複数の結像レンズ１２１の各々は、中心軸、即ち、光軸での屈折率が低く、中心軸から離れるほど屈折率が高くなるように形成されている。光源基板１１の複数の発光素子１１１から出射された光束は、光学系１２の複数の結像レンズ１２１を透過し、像担持体２００の表面上に微小なスポットとして結像されるようになっている。
【００２３】
発光素子群１１２は、具体的には、図５に示すように、複数の発光素子１１１が、Ｘ方向にｍ列（ここでは、５列）、Ｙ方向にｎ列（ここでは、４行）の二次元状に並べられて配置されている。本実施形態では、ｎ＝ｍ又はｎ＝ｍ−１を満たすものとする。発光素子群１１２は、複数の発光素子１１１をｎ＝ｍ又はｎ＝ｍ−１を満たすように配置することで、ｎとｍの個数差が最小となるので、容易に正方形に近い形状に配置することができる。結像レンズ１２１の画角αは、発光素子群１１２のＸ方向の長さｓｘ及びＹ方向の長さｓｙからなる四角形の対角線の半分の長さ（光軸Ｌ１から頂点までの長さ）に対応するので、複数の発光素子１１１を正方形に近い形状に配置することで、結像レンズ１２１の画角αを小さくすることができる。
【００２４】
また、本実施形態では、発光素子群１１２は、ｓｘとｓｙが略等しくなるように発光素子１１１が配置されている。
発光素子群１１２の主走査方向（Ｘ方向）ピッチをｐｘ、副走査方向（Ｙ方向）ピッチをｐｙ、光源像の書込みピッチをｐ０としたとき、結像レンズ１２１の倍率をβとすると発光素子ピッチｐ０’＝ｐ０／βで表される。また、発光素子径をｄ０とすると、Ｘ方向の長さｓｘ＝（ｍ−１）＊ｐｘ＋（ｎ−１）＊ｐ０’＋ｄ０、Ｙ方向の長さｓｙ＝（ｎ−１）＊ｐｙ＋ｄ０で表される。ここで、ｓｘ＝ｓｙの場合、ｐｙ＝（ｎｍ−１／ｎ−１）＊ｐ０’（式１）となる。即ち、式１を満たすように発光素子１１１を配置することで、ｓｘ＝ｓｙを満たすことができる。
式１を適用した実施例を図６に示す。なお、図６の実施例では、ｄ０＝５７μｍ、ｐ０’＝２１．１７μｍとしている。
図６に示すように、発光素子群１１２の発光素子１１１の数が同数の場合、例えば、ｎ＝４、ｍ＝５の場合とｎ＝５、ｍ＝４の場合とを比較した場合、前者の画角は「０．３２４７０６」であり、後者の画角は「０．３２４７０７」である。即ち、発光素子群１１２の発光素子１１１の数が同数の場合、ｎ＜ｍの方が結像レンズ１２１の画角を小さくすることができる。
なお、ｎ＝ｍ又はｎ＝ｍ−１を満たさない条件であっても、発光素子群１１２の発光素子１１１の数が同数の場合、例えば、ｎ＝５、ｍ＝７の場合とｎ＝７、ｍ＝５の場合とを比較した場合、前者の画角は「０．５４９２３１」であり、後者の画角は「０．５４９２３３」である。即ち、発光素子群１１２の発光素子１１１の数が同数の場合、ｎ＜ｍの方が結像レンズ１２１の画角を小さくすることができる。
【００２５】
また、比較例を図７に示す。なお、図７の比較例でも、図６の実施例と同様、ｄ０＝５７μｍ、ｐ０’＝２１．１７μｍとしている。図７の比較例では、図６の実施例と比べ、ｎ＝ｍ又はｎ＝ｍ−１を満たす条件において、ｓｘ＜ｓｙとなるようにしている。
図７に示すように、例えば、ｎ＝４、ｍ＝５の場合の画角は「０．３６４０２９」であり、ｎ＝５、ｍ＝４の場合の画角は「０．５０６８１８」である。これらはいずれも図６の実施例よりも大きい値となっている。即ち、比較例の場合よりも実施例の場合の方が、結像レンズ１２１の画角を小さくすることができることがわかった。
【００２６】
以上のように、本実施形態に係る光プリントヘッド１００によれば、光学系１２は、複数の結像レンズ１２１を含んで構成されるレンズアレイ１２２を備える。また、複数の発光素子１１１からなる発光素子群１１２の各々は、それぞれ対応する結像レンズ１２１と正対するように配置される。また、発光素子群１１２は、複数の発光素子１１１が、主走査方向にｍ列、副走査方向にｎ列の二次元状に並べられて配置される。また、ｎ＝ｍ又はｎ＝ｍ−１を満たす。
従って、本実施形態に係る光プリントヘッド１００によれば、結像レンズ１２１の画角の増大を抑制することができるので、結像レンズ１２１の外形を小さくすることができ、画像形成装置の大型化を抑制することができる。
【００２７】
また、本実施形態に係る光プリントヘッド１００によれば、発光素子群１１２は、主走査方向の長さと副走査方向の長さとが略等しくなるように複数の発光素子１１１が配置されるので、より確実に結像レンズ１２１の画角の増大を抑制することができ、画像形成装置の大型化をより確実に抑制することができる。
【００２８】
また、本実施形態に係る光プリントヘッド１００によれば、発光素子群１１２は、副走査方向ピッチをｐｙ、像担持体２００上に形成される光源像の書込みピッチをｐ０、結像レンズ１２１の倍率をβ、発光素子ピッチをｐ０’としたとき、ｐｙ＝（ｎｍ−１／ｎ−１）＊ｐ０’を満たすように複数の発光素子１１１が配置されるので、各結像レンズ１２１に割り当てられた発光素子１１１の数を変化させた場合においても結像レンズ１２１の画角の増大を抑制することができ、光源の設計の自由度を確保しつつ、画像形成装置の大型化を抑制することができる。
【００２９】
また、本実施形態に係る光プリントヘッド１００によれば、発光素子１１１は、有機ＥＬであるので、結像レンズ１２１の外形を小さくすることで母材の大きさに対する取り数を増加させることができ、製造コストを削減することができる。
【００３０】
以上、本発明に係る実施形態に基づいて具体的に説明したが、本発明は上記実施形態に限定されるものではなく、その要旨を逸脱しない範囲で変更可能である。
【００３１】
（変形例１）
例えば、上記実施形態では、発光素子群１１２のＸ方向の長さｓｘとＹ方向の長さｓｙが略等しくなるように発光素子１１１を配置するようにしているが、これに限定されるものではない。例えば、各発光素子群１１２に割り当てられた発光素子１１１の数が同数の場合において、ｓｘとｓｙの二乗和平方根の１／２の値（即ち、ｓｘ及びｓｙからなる四角形の対角線の半分の長さ）が最小値となるように、発光素子１１１を配列するようにしてもよい。
【００３２】
例えば、図８では、計２０個の発光素子１１１をＸ方向及びＹ方向に同一ピッチで配列した様子を示している。具体的には、図８（Ａ）では、Ｘ方向に４列、Ｙ方向に５列の二次元状に配置されている。図８（Ｂ）では、Ｘ方向に２列、Ｙ方向に１０列の二次元状に配置されている。図８（Ａ）及び図８（Ｂ）を参照すれば、ｓｘ及びｓｙからなる四角形がｓｘとｓｙの二乗和平方根の１／２の値が最小値となる形状、即ち、正方形に近い形状（ここでは、図８（Ａ）の形状）の方が、画角が小さくなることがわかる。
また、図９では、計２０個の発光素子１１１を、Ｙ方向のピッチがＸ方向のピッチよりも広くなるように配列した様子を示している。具体的には、図９（Ａ）では、Ｘ方向に５列、Ｙ方向に４列の二次元状に配置されている。図９（Ａ）及び図９（Ｂ）を参照すれば、正方形に近い形状（ここでは、図９（Ａ）の形状）の方が、画角が小さくなることがわかる。
即ち、図８及び図９を参照すれば、正方形に近い形状の方が、画角が小さくなっていることがわかる。
【００３３】
以上のように、変形例１に係る光プリントヘッド１００によれば、発光素子群１１２は、各々割り当てられた発光素子１１１の数が同数であり、主走査方向の長さと副走査方向の長さの二乗和平方根の１／２の値が最小値となるように複数の発光素子１１１が配置されるので、より確実に結像レンズ１２１の画角の増大を抑制することができ、画像形成装置の大型化をより確実に抑制することができる。
【００３４】
（変形例２）
また、上記実施形態では、結像レンズ１２１を円形状に形成するようにしているが、これに限定されるものではない。即ち、主走査方向と比べ副走査方向の長さが短い形状に形成されていればよく、例えば、図１０に示すように、結像レンズ１２１Ａを、Ｙ方向の両端部をカットした略小判型形状に形成するようにしてもよい。なお、図１０では、結像レンズ１２１Ａと発光素子１１１との位置関係を説明すべく、便宜上結像レンズ１２１内に発光素子１１１を表示している。
上記のように、結像レンズ１２１Ａを主走査方向と比べ副走査方向の長さが短い形状に形成することで、Ｙ方向（副走査方向）の幅を低減することができる。
【００３５】
以上のように、変形例２に係る光プリントヘッド１００によれば、結像レンズ１２１は、主走査方向と比べ副走査方向の長さが短い形状に形成されているので、副走査方向の幅を低減することができ、画像形成装置の大型化を抑制することができる。
【００３６】
（変形例３）
また、上記実施形態では、複数の発光素子１１１を、Ｘ方向に５列、Ｙ方向に４行の二次元状に並べて配置するようにしているが、これに限定されるものではない。例えば、図１１に示すように、Ｘ方向に５列、Ｙ方向に５行の二次元状に並べて配置するようにしてもよい。
上記のように、Ｘ方向及びＹ方向とも奇数個の発光素子１１１を配置するようにすることで、発光素子群１１２の重心位置（結像レンズ１２１の中心）に発光素子１１１を配置させることができる。
【００３７】
以上のように、変形例３に係る光プリントヘッド１００によれば、ｎ及びｍは奇数であるので、発光素子群１１２の重心位置（結像レンズ１２１の中心）に発光素子１１１を配置させることができ、結像レンズ１２１の調心作業を容易に行うことができる。
【００３８】
（その他の変形例）
また、上記実施形態では、発光素子群１１２のＸ方向の長さｓｘとＹ方向の長さｓｙが略等しくなるように発光素子１１１を配置するようにしているが、これに限定されるものではない。例えば、ｓｙ＞ｓｘとなるように発光素子１１１を配置するようにしてもよい。
【００３９】
また、上記実施形態では、ｓｘ＝ｓｙとなるように発光素子１１１を配置するようにしているが、これに限定されるものではない。即ち、式１と類似する結果（ｓｘ≒ｓｙ）を算出する式（簡略式等）を用いて算出される条件に基づいて、発光素子１１１を配置するようにしてもよい。
【００４０】
また、上記実施形態では、発光素子として有機ＥＬ（ＯＬＥＤ）を用いるようにしているが、これに限定されるものではない。例えば、発光素子として有機ＥＬ（ＯＬＥＤ）以外の光源（例えば、ＬＥＤ等）を用いるようにしてもよい。
【００４１】
また、上記実施形態では、同一基板上に複数の結像レンズ１２１を配置して光学系１２を形成する一体型の構成を例示して説明しているが、これに限定されるものではない。例えば、レンズアレイ１２２を長手方向に分断し、複数のサブレンズアレイとして個片化して基板に保持させる構成としてもよい。
【００４２】
その他、光プリントヘッド及び画像形成装置を構成する各装置の細部構成及び各装置の細部動作に関しても、本発明の趣旨を逸脱することのない範囲で適宜変更可能である。
【符号の説明】
【００４３】
１０００  画像形成装置
１００  光プリントヘッド（光書込装置）
１１  光源基板
１１１  発光素子（光源）
１１２  発光素子群
１１３  射影部
１２  光学系
１２１、１２１Ａ  結像レンズ
１２２  レンズアレイ
２００  像担持体
２１０  帯電部
２２０  現像部
３００  中間転写ベルト
４００  転写ローラー（転写部）
５００  定着部
Ｌ１  光軸
α  画角
【図１】
0006455175.tif 000002
【図２】
0006455175.tif 000003
【図３】
0006455175.tif 000004
【図４】
0006455175.tif 000005
【図５】
0006455175.tif 000006
【図６】
0006455175.tif 000007
【図７】
0006455175.tif 000008
【図８】
0006455175.tif 000009
【図９】
0006455175.tif 000010
【図１０】
0006455175.tif 000011
【図１１】
0006455175.tif 000012